(57)【要約】【課題】録画した放送番組についてユーザーがＣＭをスキップしようとしたときに、完全にＣＭをスキップさせてしまうと、スポンサーが広告効果を得ることができなくなり、完全にスキップを禁止してしまうと、ユーザーに不快感を与えてしまう。【解決手段】本発明に係る録画再生装置は、録画した放送番組についてユーザーがＣＭをスキップしようとしたときに、ＣＭをスキップさせるとともに、短縮版のＣＭを再生することで、スポンサーに対して、早送りの際の細切れの映像をみせるよりも、より高い宣伝効果を期待でき、かつ、早送りでＣＭをスキップしようとして、行き過ぎてしまうこともなく確実にＣＭをスキップできることで、ユーザーも快適に視聴することができる。【選択図】図１
2008109360.tif 000002
【特許請求の範囲】
【請求項１】
放送番組を受信する放送データ受信部と、
放送番組を蓄積する放送データ蓄積部と、
前記放送データ受信部が受信した放送番組を前記放送データ蓄積部に記録させる放送データ記録部と、
前記放送データ記録部に記録された放送番組を抽出する再生データ抽出部と、
前記再生データ抽出部抽出された放送番組をデコードする再生データ再生部と、
デコードされた放送番組が、番組中かＣＭ中かどうかを判断するＣＭ中監視部と、
早送りキーの押下を検知するスキップ要求検知部と、
前記ＣＭ中監視部がＣＭ中と判断し、且つ、前記スキップ要求検知部が早送りキーの押下を検知している場合は、前記再生データ再生部に対し、短縮ＣＭデータを再生するように制御するＣＭデータ制御部と、を具備した録画再生装置。
【請求項２】
放送番組を受信する放送データ受信部と、
放送番組を蓄積する放送データ蓄積部と、
前記放送データ受信部が受信した放送番組を前記放送データ蓄積部に記録させる放送データ記録部と、
前記放送データ記録部に記録された放送番組を抽出する再生データ抽出部と、
前記再生データ抽出部抽出された放送番組をデコードする再生データ再生部と、
デコードされた放送番組が、番組中かＣＭ中かどうかを判断するＣＭ中監視部と、
前記ＣＭ中監視部がＣＭ中と判断した場合は、前記再生データ再生部に対し、短縮ＣＭデータを再生するように制御するＣＭデータ制御部と、を具備した録画再生装置。
【請求項３】
前記放送データ蓄積部において、
前記短縮ＣＭデータは前記放送番組と異なる領域に記憶されており、
前記ＣＭ中監視部がＣＭ中と判断するごとに、前記再生データ再生部は前記放送データ蓄積部に記憶された前記短縮ＣＭデータを再生することを特徴とする請求項１または２に記載の録画装置。
【請求項４】
短縮ＣＭデータが再生された後に再生される放送番組は、ＣＭ中でないことを特徴とする請求項１乃至３に記載の録画再生装置。
【発明の詳細な説明】
【技術分野】
【０００１】
本発明は、ＣＭスキップ機能を有する録画再生装置に関するものである。
【背景技術】
【０００２】
近年、デジタル放送による多チャンネル化、大容量ハードディスクを用いた長時間録画装置の出現により、一旦録画した後で任意の時間に視聴するタイムシフト視聴が多くなりつつある。しかしタイムシフト視聴においては、早送りやスキップなどの特殊再生が容易に行えるため、ユーザーはＣＭをスキップさせて視聴することが多い。この場合、放送局のスポンサーである広告主等が広告費に見合った効果を得ることが難しくなる。
【０００３】
従来の録画再生装置では、再生時用のＣＭデータを別に受信、記憶し、任意のタイミングで再生制御することによって、確実に広告データを表示する（例えば特許文献１に記載）。しかし、この方法は、広告データ再生時には、早送りやスキップ等の機能が使用できないことが前提であり、ＣＭを飛ばして視聴したいユーザーに不快感を与え、広告主に対しても逆にマイナスの印象を与えかねない。
【特許文献１】特開２００５−１９７９４４号公報
【発明の開示】
【発明が解決しようとする課題】
【０００４】
録画した放送番組についてユーザーがＣＭをスキップしようとしたときに、完全にＣＭをスキップさせてしまうと、スポンサーが広告効果を得ることができなくなる。一方、完全にスキップを禁止してしまうと、ユーザーに不快感を与えてしまう。
【０００５】
本発明の目的は、一定の広告効果を維持しつつ、且つ、ユーザーに不快感を与えない録画再生装置を提供することにある。
【課題を解決するための手段】
【０００６】
本発明に係る録画再生装置は、放送番組を受信する放送データ受信部と、放送番組を蓄積する放送データ蓄積部と、放送データ受信部が受信した放送番組を放送データ蓄積部に記録させる放送データ記録部と、放送データ記録部に記録された放送番組を抽出する再生データ抽出部と、再生データ抽出部抽出された放送番組をデコードする再生データ再生部と、デコードされた放送番組が、番組中かＣＭ中かどうかを判断するＣＭ中監視部と、早送りキーの押下を検知するスキップ要求検知部と、ＣＭ中監視部がＣＭ中と判断し、且つ、スキップ要求検知部が早送りキーの押下を検知している場合は、再生データ再生部に対し、短縮ＣＭデータを再生するように制御するＣＭデータ制御部と、を具備する。録画した放送番組についてユーザーがＣＭをスキップしようとしたときに、ＣＭをスキップさせるとともに、短縮版のＣＭを再生することで、スポンサーに対して、早送りの際の細切れの映像をみせるよりも、より高い宣伝効果を期待でき、かつ、早送りでＣＭをスキップしようとして、行き過ぎてしまうこともなく確実にＣＭをスキップできることで、快適に視聴することができる。
【発明の効果】
【０００７】
本発明の録画再生装置は、ユーザーがＣＭをスキップしようとして、早送りなどの機能を使った際に、早送りの際の細切れの映像をユーザーに見せるのではなく、短時間の広告データを見せることで、ユーザーに不快感を与えることなく、より高い広告効果を期待することができる。また、ユーザーにとっても、早送りでＣＭをスキップする際に、早送りしすぎてしまうことなく、確実にＣＭを飛ばすことができるため、ユーザーも快適に視聴することができる。
【発明を実施するための最良の形態】
【０００８】
（実施の形態１）
図１は、本発明の実施の形態１における録画再生装置の構成を示すブロック図である。本実施の形態における録画再生装置は、放送データ受信部１０１と、放送データ記録部１０２と、放送データ蓄積部１０３と、再生データ抽出部１０４と、再生データ再生部１０５と、ＣＭ中監視部１０６と、スキップ要求検知部１０７と、ＣＭデータ制御部１０８と、再生データ表示部１０９を具備する。
【０００９】
放送データ受信部１０１は、デジタル放送などの放送番組を受信する。放送データ記録部１０２は、受信した放送番組を後述する放送データ蓄積部１０３に送信する。放送データ蓄積部１０３は受信した放送番組を記憶する。再生データ抽出部１０４は、放送データ蓄積部１０３から再生する放送番組を抽出する。再生データ再生部１０５は、再生データ抽出部１０４で抽出した放送番組を後述するＣＭデータ制御部１０８に基づきデコードする。ＣＭ中監視部１０６は、再生している放送番組が、番組中かＣＭ中かどうかを判断する。スキップ要求検知部１０７は、ユーザーが早送りキーを押されたことを検知する。ＣＭデータ制御部１０８は、スキップ要求検知部１０７がユーザーからのスキップ要求を検知し、且つ、ＣＭ中監視部１０６がＣＭ中であると判断した場合は、再生データ再生部１０５に対し短縮ＣＭデータ抽出し再生するように制御する。再生データ表示部１０９は、再生データ再生部１０５でデコードされた放送番組を表示する。
【００１０】
図２は、本発明の実施の形態１における放送データ構成を示す図である。放送データ２０１のＣＭ中には、ＣＭ情報２０２がＴ秒毎に定期的に挿入されている。ＣＭ情報２０２は少なくとも、ＣＭ中であるか否かを示すＣＭ中フラグ、短縮ＣＭデータの開始位置を示す短縮ＣＭデータ開始位置情報及び、短縮ＣＭデータを再生するための情報、例えばＰＥＳパケットＩＤなどが書かれている短縮ＣＭデータ再生情報を備えている。
【００１１】
ＣＭ中監視部１０６は、ＣＭ情報２０２をポーリングし、ＣＭ中フラグを検知できたらＣＭ中と判断する。またＴ秒後に次のＣＭ情報を取得できなかったらＣＭが終了したと判断する。
【００１２】
図３は、実施の形態１において、スキップ要求検知部１０７がユーザーの早送りキー押下を検知した際の動作を示すフローチャートである。早送りキーが押下される（Ｓ３０１）と、スキップ要求検知部１０７は、ＣＭ中監視部１０６に現在ＣＭ中かどうかを問い合わせる（Ｓ３０２）。ＣＭ中で無い場合は、再生データ再生部１０５に、早送り再生要求を送り、早送り再生をする（Ｓ３０３）とともに、ＣＭ中監視部１０６からＣＭに遷移したという情報が送信されるまで早送り再生を続ける。ＣＭ中である場合は、もしくは、早送り再生中にＣＭに遷移した場合は、ＣＭ中監視部１０６は、受信したＣＭ情報２０２をＣＭデータ制御部１０８に送る。ＣＭデータ制御部１０８は、ＣＭ情報２０２の中の短縮ＣＭデータ開始位置を参照し、短縮ＣＭデータ開始位置までスキップさせる（Ｓ３０４）。その後、ＣＭデータ制御部１０８は、ＣＭ情報２０２の中の短縮ＣＭデータ再生情報を参照し、短縮ＣＭデータを再生させる（Ｓ３０５）。短縮ＣＭデータの再生が終了したら、ＣＭデータ制御部１０８は、早送りキーを検知した際に、ＣＭ中だったか否かを判断する（Ｓ３０６）。ＣＭデータ制御部１０８がＣＭ中だったと判断した場合は通常再生要求を再生データ再生部１０５に送り通常再生する（Ｓ３０７）。一方、番組中だった場合には早送り再生要求を再生データ再生部１０５に送り早送り再生をする（Ｓ３０８）。
【００１３】
図４は、本発明の実施の形態１において、通常再生時にＣＭに遷移したことを検知して、自動的に短縮ＣＭデータの再生に切り替える際の動作を示すフローチャートである。ＣＭ中監視部１０６は、通常再生がされている（Ｓ４０１）際にＣＭに遷移したか否かを検知する（Ｓ４０２）。ＣＭ中監視部１０６がＣＭに遷移したことを検知すると、受信したＣＭ情報２０２をＣＭデータ制御部１０８に送る。ＣＭデータ制御部１０８は、ＣＭ情報２０２の中の短縮ＣＭデータ開始位置を参照し、短縮ＣＭデータ開始位置までスキップする（Ｓ４０３）。その後、ＣＭデータ制御部１０８は、ＣＭ情報２０２の中の短縮ＣＭデータ再生情報を参照し、短縮ＣＭデータを再生させる（Ｓ４０４）。短縮ＣＭデータの再生が終了したら、ＣＭデータ制御部１０８は、通常再生要求を再生データ再生部１０５に送る。
【００１４】
短縮ＣＭデータの再生を、ユーザーからの要求により実行するか、自動的に行うかは、ユーザーに選択させることも可能である。
【００１５】
図５は、通常再生時間と、本実施の形態における再生時間の比較を示す。通常再生では、番組Ａ−１と番組Ａ−２の間には通常通りに９０秒のＣＭが再生される。本実施の形態においては、その９０秒のＣＭが３秒の短縮ＣＭに置き換えられ、短縮ＣＭの後に番組Ａ−２が始まることになる。
【００１６】
図６は、番組ＡにＸ社、Ｙ社、Ｚ社の３社のスポンサーがいた場合の、本実施の形態における短縮ＣＭの実施例を示す。多くの場合、１回のＣＭ機会に３社分のＣＭが含まれている。本実施の形態では、１回のＣＭ機会に１社分の短縮ＣＭに置き換える。これにより、ＣＭ時間が長くなりすぎることを防止することができる。本実施の形態では、番組開始から終了までの６回のＣＭ期間を、Ｘ社、Ｙ社、Ｚ社で３等分し、１回目がＸ社、２回目がＹ社、３回目がＺ社、というように順番に短縮ＣＭの再生を入れている。
【００１７】
かかる構成によると、ユーザーがＣＭをスキップさせる為に早送りをした場合にも、ＣＭを早送りする間の短時間に対応した最適なＣＭを表示することができるため、ユーザーに不快感を与えることなく、且つ、より広告効果の高いＣＭを放送することができる。
【００１８】
（実施の形態２）
図７は、本発明の実施の形態２における放送データ構成を示す図である。放送データ６０１の中のＣＭ中には、ＣＭ情報６０２がＴ秒毎に挿入されている。ＣＭ情報６０２の中には少なくとも、ＣＭ中であるか否かを示すＣＭ中フラグ、ＣＭ終了位置までの時間を示すＣＭ終了位置情報、及び、どの短縮ＣＭデータを再生するかを示す短縮ＣＭデータが書かれている。また、短縮ＣＭデータは、放送データの中に繰り返し送信されていて、放送データ記録部１０２が短縮ＣＭデータを放送番組とは違う領域に記録する。
【００１９】
図８は、実施の形態２において、スキップ要求検知部１０７がユーザーの早送りキー押下を検知した際の動作を示すフローチャートである。早送りキーが押下される（Ｓ８０１）と、スキップ要求検知部１０７は、ＣＭ中監視部１０６に現在ＣＭ中かどうかを問い合わせる（Ｓ８０２）。ＣＭ中で無い場合は、再生データ再生部１０５に、早送り再生要求を送り、早送り再生をする（Ｓ８０３）とともに、ＣＭ中監視部１０６からＣＭに遷移したという情報が送信されるまで早送り再生を続ける。ＣＭ中である場合は、もしくは、早送り再生中にＣＭに遷移した場合は、ＣＭ中監視部１０６は、受信したＣＭ情報６０２をＣＭデータ制御部１０８に送る。ＣＭデータ制御部１０８は、ＣＭ情報６０２の中の短縮ＣＭデータを参照し、再生する短縮ＣＭデータを再生データ抽出部１０４に依頼する。再生データ抽出部１０４は、依頼された短縮ＣＭデータを抽出し、再生データ再生部１０５が抽出した再生データを再生する（Ｓ８０４）。再生データの再生が終了したら、ＣＭデータ制御部１０８は、再生データ抽出部１０４に元の再生データを再生するよう依頼する。再生データ再生部１０５が再生を開始する際に、ＣＭ情報６０２の中のＣＭ終了位置情報を参照し、ＣＭ終了位置にスキップする（Ｓ８０５）。ＣＭ終了位置にスキップしたら、ＣＭデータ制御部１０８は、早送りキーを検知した際に、ＣＭ中だったか否かを判断する（Ｓ８０６）。ＣＭデータ制御部１０８がＣＭ中だったと判断した場合は通常再生要求を再生データ再生部１０５に送り通常再生する（Ｓ８０７）。一方、番組中だった場合には早送り再生要求を再生データ再生部１０５に送り早送り再生をする（Ｓ８０８）。
【００２０】
図９は、本発明の実施の形態２において、通常再生時にＣＭに遷移したことを検知して、自動的に短縮ＣＭデータの再生に切り替える際の動作を示すフローチャートである。ＣＭ中監視部１０６は、通常再生がされている（Ｓ８０１）際にＣＭに遷移したか否かを検知する（Ｓ８０２）。ＣＭ中監視部１０６がＣＭに遷移したことを検知すると、受信したＣＭ情報６０２をＣＭデータ制御部１０８に送る。ＣＭデータ制御部１０８は、ＣＭ情報２０２の中の短縮ＣＭデータを参照し、再生する短縮ＣＭデータを再生データ抽出部１０４に依頼する。再生データ抽出部１０４は、依頼された短縮ＣＭデータを抽出し、再生データ再生部１０５が抽出した再生データを再生する（Ｓ９０３）。再生データの再生が終了したら、ＣＭデータ制御部１０８は、再生データ抽出部１０４に元の再生データを再生するよう依頼し、再生データ再生部１０５が再生を開始する際に、ＣＭ情報２０２の中のＣＭ終了位置情報を参照し、ＣＭ終了位置にスキップさせる（Ｓ９０５）。その後、通常再生要求を再生データ再生部１０５に送る。
【００２１】
本実施の形態においても、実施の形態１と同様に、短縮ＣＭデータの再生を、ユーザーからの要求により実行するか、自動的に行うかは、ユーザーに選択させることも可能である。
【００２２】
かかる構成によると、ユーザーがＣＭをスキップさせる為に早送りをした場合にも、ＣＭを早送りする間の短時間に対応した最適なＣＭを表示することができるため、ユーザーに不快感を与えることなく、且つ、より広告効果の高いＣＭを放送することができる。
【産業上の利用可能性】
【００２３】
録画再生装置において、再生時にＣＭをスキップさせたいユーザーに対する、その番組のスポンサーの広告効果、およびユーザーのＣＭスキップ操作に関して有用である。
【図面の簡単な説明】
【００２４】
【図１】本発明の実施の形態１または２における録画再生装置の構成を示すブロック図
【図２】本発明の実施の形態１における放送データ構成を示す図
【図３】本発明の実施の形態１における早送りキーが押下された時の動作を示すフローチャート
【図４】本発明の実施の形態１におけるＣＭ放送への遷移を検知し自動的に短縮ＣＭデータの再生に切り替える際の動作を示すフローチャート
【図５】本発明の実施の形態１における再生時間を比較するための図
【図６】本発明の実施の形態１における短縮ＣＭ構成の一例を示す図
【図７】本発明の実施の形態２における放送データ構成を示す図
【図８】本発明の実施の形態２における早送りキーが押下された時の動作を示すフローチャート
【図９】本発明の実施の形態２におけるＣＭ放送への遷移を検知し自動的に短縮ＣＭデータの再生に切り替える際の動作を示すフローチャート
【符号の説明】
【００２５】
１０１    放送データ受信部
１０２    放送データ記録部
１０３    放送データ蓄積部
１０４    再生データ抽出部
１０５    再生データ再生部
１０６    ＣＭ中監視部
１０７    スキップ要求検知部
１０８    ＣＭデータ制御部
１０９    再生データ表示部
２０１    放送データ
２０２    ＣＭ情報
６０１    放送データ
６０２    ＣＭ情報
【図１】
2008109360.tif 000003
【図２】
2008109360.tif 000004
【図３】
2008109360.tif 000005
【図４】
2008109360.tif 000006
【図５】
2008109360.tif 000007
【図６】
2008109360.tif 000008
【図７】
2008109360.tif 000009
【図８】
2008109360.tif 000010
【図９】
2008109360.tif 000011